(57)【特許請求の範囲】
【請求項１】
巻き上げホイールを、その中心部のブッシュを介して定位置に固定された固定シャフトに回動自在に外挿すると共に巻き上げスプリングを介して固定シャフトに係合し、上記ブッシュの一端に対向する固定シャフトの外周には、巻き上げホイールの軸方向の移動を阻止するための止め輪を設けたシャッターの巻取り装置において、
上記止め輪は、その円環状本体内周の複数位置に、係止片が一体に突出形成され、この係止片に対向して、上記固定シャフトには、上記係止片の先端を係止する係止孔が形成され、前記各係止片は、前記ブッシュとは反対方向外方に折り返されるとともに、その先端が前記係止孔に折り曲げ係合されていることを特徴とするシャッターの巻取り装置。
【請求項２】
巻き上げホイールを、その中心部のブッシュを介して定位置に固定された固定シャフトに回動自在に外挿すると共に巻き上げスプリングを介して固定シャフトに係合し、上記ブッシュの一端に対向する固定シャフトの外周には、巻き上げホイールの軸方向の移動を阻止するための止め輪を設けたシャッターの巻取り装置において、
上記止め輪は、その円環状本体外周の複数位置に、係止片が一体に突出形成され、この係止片に対向して、上記固定シャフトには、上記係止片の先端を係止する係止孔が形成され、前記各係止片は、前記ブッシュとは反対方向外方に折り曲げられて、その先端が前記係止孔に折り曲げ係合されていることを特徴とするシャッターの巻取り装置。
【発明の詳細な説明】
【０００１】
【発明の属する技術分野】
本発明は、主として、建物用シャッターの巻取り装置に関するものである。
【０００２】
【従来の技術】
一般に、シャッターの巻取り装置、特に、巻き上げスプリングの蓄勢力で、シャッター巻き上げ及び巻き下げ動作を緩和するようにした軽量シャッターの巻取り装置においては、巻き上げスプリングの蓄勢力の変化に際して、固定シャフトの軸方向に発生するスラストによる巻き上げホイールの軸方向移動を阻止するための止め輪を、上記巻き上げホイールのブッシュの一端に対向して、上記固定シャフトに装着している。
【０００３】
従来の、この種のシャッター巻取り装置は、一般に、図６ないし図９に示されるような構造をなしている。ここでは、シャッターケースに固定された固定シャフト３に巻き上げホイール６、６を遊嵌し、また、これらをコイルバネよりなる巻き上げスプリング７、７を介して、固定シャフト３に連結している。そして、巻き上げスプリング７、７の蓄勢力で、スラットカーテン（図示せず）の巻き上げ及び巻き下げを緩衝していて、手動操作によるカーテンの重量負荷を軽減している。
【０００４】
ところで、このような構造においては、カーテンの巻き上げ、卷き下ろしの動作で、巻き上げスプリング７、７の蓄勢力が変化すると、この蓄勢力の、固定シャフト３に対するスラスト成分が変化し、巻き上げホイール６、６が軸方向に摺動するという問題があった。
【０００５】
そこで、固定シャフト３に遊嵌した状態で、巻き上げホイール６、６を支持しているブッシュ８、８の外側端に摺接するように、固定シャフト３に、図８に示すような、円環状の座金１９、１９を外嵌し、これら座金１９、１９の軸方向の移動を阻止するために、固定シャフト３に、これと直交する挿通孔９、９を穿ち、ここに割ピン２０、２０を挿通させ、先端を曲げて固定している。
【０００６】
なお、図７に示すような、巻き上げホイール６に外輪１４を鋲着（１７）し、また、固定シャフト３に内輪１５を外嵌圧接し、内外輪間にボール１２を設けた構造の巻取り装置では、その外輪１４に座金１９が摺接するように配置し、割ピン２０で、巻き上げホイール６の軸方向の動きを防止している。
【０００７】
しかし、このような従来一般に用いられる座金と割ピンによる軸方向の巻き上げホイールの振れ止め構造では、部品点数が２点となり、また、装着が面倒である。
【０００８】
そこで、本出願人は、先に、実公平５−４３１９５号公報において、特別な構造の止め輪を提唱した。これは、固定シャフトに形成した挿通孔に挿通される突片の一端に、固定シャフトの外周を迂回する半円弧状の鍔を左右に延出した構造で、鍔の先端には、係止用の爪が形成され、鍔の弾性で、固定シャフトを左右から抱えるようになっている。
これによって、部品点数は１つとなり、座金と割ピンを用いる場合に比較してコストの低減を図ることができた。
【０００９】
【発明が解決しようとする課題】
ところが、上記  実公平５−４３１９５号公報に記載の発明では、止め輪の固定シャフトへの取付けが確実とは言えず、使用中止め輪が固定シャフトから浮き上がり又は抜け出し易いという課題がある。
【００１０】
本発明は、以上の点に鑑みてなしたものであり、上記止め輪の形状構造を、プレス打ち抜き作業などの単純な作業で、容易に作成できるようにし、しかも、固定シャフトへの取付も簡単確実に行えるようにしたものである。
【００１１】
【課題を解決するための手段】
このため、本発明のシャッターの巻取り装置では、図示の実施の形態でも明らかにしたように、巻き上げホイール６を、その中心部のブッシュ８を介して定位置に固定された固定シャフト３に回動自在に外挿すると共に巻き上げスプリング７を介して固定シャフト３に係合し、上記ブッシュ８の一端に対向する固定シャフト３の外周には、巻き上げホイール６の軸方向の移動を阻止するための止め輪１を設けたシャッターの巻取り装置の構成を前提としている。
【００１２】
本発明では、上記シャッターの巻取り装置の構成において、図１〜図３の第１の実施の形態に示すように、上記止め輪１は、その円環状本体１Ａ内周の複数位置に係止片１Ｂ（又は係止片１Ｃ）が一体に突出形成され、この係止片１Ｂ（又は係止片１Ｃ）に対向して、上記固定シャフト３には、上記係止片１Ｂ（又は係止片１Ｃ）の先端を係止する係止孔３Ａが形成され、上記各係止片１Ｂ，１Ｃは、上記ブッシュ８とは反対方向外方に折り返されるとともに、その先端が前記係止孔３Ａに折り曲げ係合されていることを特徴としている。
【００１３】
さらに、本発明では、図４及び図５の第２の実施の形態に示すように、上記止め輪１は、その円環状本体外周の複数位置に、係止片１Ｃが一体に突出形成され、この係止片１Ｃに対向して、上記固定シャフト３には、上記係止片１Ｃの先端を係止する係止孔３Ａが形成され、前記各係止片１Ｃは、前記ブッシュ８とは反対方向外方に折り曲げられて、その先端が前記係止孔３Ａに折り曲げ係合されていることを特徴とする。
【００１４】
上記の構造では、巻き上げホイール６は、止め輪１に当接係合してその軸方向移動が阻止される。ここにおいて、止め輪１一個だけの構成で、固定シャフト３に対する巻き上げホイール６の軸方向の振れを防止することができ、しかも、止め輪１の作成に面倒が無く低コストで提供でき、更に、固定シャフト３への装着作業も単純確実で、使用中に抜け出す等の恐れがない。
【００１５】
【発明の実施の形態】
本発明のシャッターの巻取り装置は、図１ないし図５に示すように、基本的には、先述の従来例と同様なので、その構成部分には同一の符号を付して、細部の説明を省略する。特に、本発明は、図１ないし図５に示すように、巻き上げスプリング７、７の蓄勢力の変化に際して、固定シャフト３の軸方向に発生するスラストにより、巻き上げホイール６、６の軸方向動作を阻止するための止め輪１を、巻き上げホイール中心部分に固定されるブッシュ８の一端に対向して、固定シャフト３に装着している。
【００１６】
この止め輪１は、図１乃至図３の第１の実施の形態では、円環状本体１Ａの内周の直径方向の対向位置に、舌状の係止片１Ｂを、プレスによる打ち抜き等により一体に突設する。この係止片１Ｂを、図３に示すように、外方に対称形状に略「へ」字形及び略「逆へ」字形に折り返しておく。この状態で、固定シャフト３の所定位置に外挿し、図２に示すように、係止片１Ｂの先端を固定シャフト３側に、フライヤー等の工具により対称に折り曲げて、固定シャフト３の直径方向対向位置に形成した係止孔３Ａに係合する。
【００１７】
また、図４および図５の第２の実施の形態では、止め輪１は、その円環状本体１Ａの外周の直径方向の対称位置に、プレスによる打ち抜き等により一体に舌状の係止片１Ｃを突設している。この係止片１Ｃは、円環状本体１Ａの幅よりも長く形成し、内方にやや折り曲げた状態で固定シャフト３に外挿し、さらに折り曲げて係止孔３Ａに係合する。
【００１８】
このような構成では、シャッターの巻き上げスプリング７、７の蓄勢力の変化に際して、固定シャフト３の軸方向に発生するスラストによる巻き上げホイール６、６の軸方向動作を、ブッシュ８の一端に対向して、固定シャフト３に取り付けられる止め輪１で、阻止することができる。この場合、止め輪１は、上述のような形状、構成なので、プレスによる打ち抜き作業等で、簡単に作成でき、低コストで提供できる。更に、固定シャフト３への装着作業も、挿入後、フライヤー等の工具で、係止片１Ｂ（又は係止片１Ｃ）の先端を固定シャフト３の係止孔３Ａに押し込むだけの、単純な作業でよく、取り扱い易い。
【００１９】
上記第１及び第２の実施の形態において、止め輪１の係止片１Ｂ（又は係止片１Ｃ）は、２個以上、例えば３個又は４個形成することが出来、これに対応して係止孔３Ａも２個以上形成することができる。係止片１Ｂ（又は係止片１Ｃ）及び係止孔３Ａを直径方向に対向する２個又はクロス状に対向する４個形成するようにすれば、固定シャフト３に係止孔３Ａを形成する孔明け作業が容易であり、また、上記の折り曲げ作業も容易で能率的となる。
【００２０】
【発明の効果】
本発明は、以上詳述したように、固定シャフトに装着して巻き上げホイールの軸方向の移動を規制する止め輪を、円環状本体の複数位置に係止片を突出形成した形状とし、この係止片を固定シャフトの対応位置に形成した係止孔に係合して取り付けるようにしたので、止め輪一個だけの構成で、固定シャフトに対する巻き上げホイールの軸方向の振れを有効に防止することができ、低コストで提供でき、更に、固定シャフトへの装着作業も単純であり、固定シャフトの全周に円環状本体が係合して固定されることから止め輪の浮き上がりや脱落もなく安全性の点でも優れている。
また、上記止め輪として、円環状本体の内周又は外周に一体に係止片を突設させる構造とすることにより、プレス等によって容易に製造させることができ、係止片の折り曲げ作業により、固定シャフトに対する装着作業も容易となる。
【図面の簡単な説明】
【図１】本発明の第１の実施の形態としての巻取り装置の一部正面図である。
【図２】同じく、要部の端面及び正面図である。
【図３】同じく、止め輪の正面及び側面図である。
【図４】本発明の第２の実施の形態を示す要部の正面、平面及び端面図である。
【図５】同じく、止め輪の正面、横断面及び縦断側面図である。
【図６】従来の構造の一例を示す正面図である。
【図７】従来例の構造の他の一例の、一部縦断した正面図である。
【図８】従来例の座金の正面図である。
【図９】同じく、割ピンの取付状態を示す正面図である。
【符号の説明】
１    止め輪
１Ａ    円環状本体
１Ｂ、１Ｃ    係止片
３    固定シャフト
３Ａ    係止孔
６    巻き上げホイール
７    巻き上げスプリング
８    ブッシュ
９    挿通孔
【図１】
0003610663.tif 000002
【図２】
0003610663.tif 000003
【図３】
0003610663.tif 000004
【図４】
0003610663.tif 000005
【図５】
0003610663.tif 000006
【図６】
0003610663.tif 000007
【図７】
0003610663.tif 000008
【図８】
0003610663.tif 000009
【図９】
0003610663.tif 000010